(57)【特許請求の範囲】
【請求項１】
互いに異なる方向に往復動するクランクロッドに連結される上下二枚が摺接状態で合わされたバリカン刈刃において、各々のクランクロッドに往復動方向に対して前方と後方に適数の取付座が突設されたスライドバーを連結し、前方の取付座に刃が前向きに形成されたバリカン刈刃を取り付けるとともに、後方の取付座に刃が後向きに形成されたバリカン刈刃を取り付けたことを特徴とするバリカン刈刃。
【請求項２】
二枚のスライドバー及びバリカン刈刃がそれぞれに同一形状をしている請求項１のバリカン刈刃。
【請求項３】
上側のスライドバーが上方に押え板を添えられて下側のスライドバーからボルトを通して上下のスライドバーを隙間調整して締め付けた請求項１又は２のバリカン刈刃。
【請求項４】
上下のバリカン刃の上下面に刃を除いて基板を取り付け、基板を取付座に取り付けた請求項１〜３いずれかのバリカン刈刃。
【発明の詳細な説明】
【０００１】
【発明の属する技術分野】
本発明は、バリカン式の草刈機やトリマー等に使用するバリカン刈刃に関するものである。
【０００２】
【従来の技術】
バリカン刈刃を有する草刈機やトリマーは、ロータリ刃を有するものに比べて、刃盤が割れたり、物を跳ね飛ばしたりしないから、安全である上、刈り高さを均一にでき、しかも、一度に広い範囲を刈り取れる特徴を有しており、畦道の草刈りや生け垣のトリミング等によく使用されている。しかし、バリカン刈刃も、使用に伴って磨耗するから、適宜研磨する必要がある。この研磨は、刈刃を機に装着したままで行なうこともあるが、多くの場合は取り外して行なう。又、最近では、刃が磨耗すると、新しい刃に交換することが多いが、このようなときも、刈刃を取り外さなければならない。
【０００３】
【発明が解決しようとする課題】
ところで、バリカン刈刃は、互いに異なる方向に往復動するクランクロッドに二枚が摺接状態で取り付けられているのが通常であり、各々は、最適な隙間に調整してある。従って、一度取り外すと、再取付けに際しては再度隙間調整をしなければならないが、この隙間調整は相当な熟練を要するため、一般ユーザーではなかなか難しい。又、クランクロッドとの連結部はクランクケース内に設けられているから、これを取り外すには、クランクケースの蓋を外さなければならず、相当な手間である。
【０００４】
本発明は、このような課題を解決するものであり、バリカン刈刃を刈刃部分とスライドバーとに分割し、クランクロッドにスライドバーを取り付け、更に、スライドバーに刈刃を取り付けるようにして、刈刃の取付け、取外しをクランクロッドとスライドバーの組付けに触ることなく、簡単、迅速にできるようにしたものである。
【０００５】
【課題を解決するための手段】
以上の課題を解決するため、本発明は、請求項１に記した、互いに異なる方向に往復動するクランクロッドに連結される上下二枚が摺接状態で合わされたバリカン刈刃において、各々のクランクロッドに往復動方向に対して前方と後方に適数の取付座が突設されたスライドバーを連結し、前方の取付座に刃が前向きに形成されたバリカン刈刃を取り付けるとともに、後方の取付座に刃が後向きに形成されたバリカン刈刃を取り付けたことを特徴とするバリカン刈刃を提供したものである。
【０００６】
以上の手段をとることにより、バリカン刈刃の取付け、取外しは、スライドバーに対して行なえばよいから、クランクロッドとスライドバーの組付けに触る必要はない。従って、隙間調整も必要ないし、取付け、取外し作業も簡単である。
【０００７】
【発明の実施の形態】
以下、本発明の実施の形態を図面を参照して説明する。図１は本発明の一例を示すバリカン刈刃を装着したバリカン式草刈機の要部の平面図、図２は同じく断面側面図であるが、このバリカン式草刈機は、伝動管兼基体である操作杆１の先端（下端）にクランクケース２を取り付けたものである。
【０００８】
クランクケース２の基部には、伝動軸３が軸装されており、操作杆１の基端に設けられる原動機（図示省略）の動力を操作杆１の内部に収容される駆動軸４によってベベルギア機構５を介して伝動軸３に伝えるようにしてある。クランクケース２の中央部には、クランクロッド６を係着するクランク７が収容されており、伝動軸３に伝えられた動力は、ギア機構８を介してクランク７を回転させ、クランクロッド６を往復動させる。
【０００９】
クランクケース２の先端からはスライドバー９が突出しており、スライドバー９の根元側はクランクロッド６とピン１０で枢着されている。従って、クランクロッド６の往復動は、スライドバー９の往復動に変換される。
【００１０】
以上のクランクロッド６とスライドバー９の組は上下に二個設けられており、各クランクロッド６は、クランク７の対称位置に設けられる二カ所の偏心部位に連結されている。従って、クランク６の回転に伴ってスライドバー９は互いに正反対の方向に往復動することになる。
【００１１】
二枚のスライドバー９は、往復動を阻害しない隙間を保って離れないように重合させられている。図３は図１のＡ−Ａ断面図であるが、スライドバー９の中央部には、適当数の長手方向の長孔１１があけられており（往復動するから）、この長孔１１の中にボルト１２を通し、上側のスライドバー９の上に押え板１３を重ねてナット１４で締めて固定している。この場合、ボルト１２とナット１４の締め具合を調整することで、前記した隙間の調整を図っている。
【００１２】
図４はスライドバー９の平面図であるが、スライドバー９には適当数（本例では二個）の取付座１５が各々前後に突設されており、これにバリカン刈刃１６を取り付けることになる。図５はバリカン刈刃１６の平面図であるが、バリカン刈刃１６は、三角形の刃１６ａが適当間隔を置いて形成されるものであり、上方のものは上面にエッジが、下方のものは下面にエッジが形成されるものである。但し、上下裏返して使用できるから、同一の形状のものを共用できる。
【００１３】
ところで、本例のバリカン刈刃１６は、上方のものは上面に、下方のものは下面に、それぞれ基板１７が刃１６ａを除いた部分に一体的に取り付けられており（これも裏返して使用することで共用できる）、この基板１７を取付座１５に取り付けるようにしている。具体的には、上下のスライドバー９にネジ支柱１８を立てておき、基板１７に設けられた取付孔１９をこのネジ支柱１８に通し、ナット２０で締め付けるようにしている。
【００１４】
この場合のネジ支柱１８の頭部１８ａは、スライドバー９の中に埋め込み、摺動面から突出しないようにしてスライドバー９の摺動性を確保している。又、スライドバー９とバリカン刈刃１６の厚みは、当然ながら同じ厚みにしておき、バリカン刈刃１６同士も前記した隙間に調整されて摺動できるようにしてある。この他、取付座１５の数は適当でよいが、本例では、前後に二カ所ずつ設けて取付け、取外しが迅速にできるようにしている。
【００１５】
加えて、本例の取付座１５のスライド方向には、それぞれ上面に刃１５ａを形成してこの部分でも刈取りができるようにしている。これらのスライドバー９及びバリカン刈刃１６は、裏返して使用することで、同一形状のものを使用できるから、部品を共用できて、コスト安く製作できる。
【００１６】
【発明の効果】
以上、本発明によると、バリカン刈刃の取付け、取外しは、スライドバーに対して行なえばよく、クランクロッドとスライドバーの組付けに触る必要はない。従って、取付け、取外し作業が省力的で迅速にできるし、煩雑な隙間調整操作も必要ない。更に、バリカン刈刃はスライドバーとは分割されるから、製造コストも安くて済む。
【図面の簡単な説明】
【図１】本発明の一例を示すバリカン式草刈機の要部平面図である。
【図２】本発明の一例を示すバリカン式草刈機の要部断面側面図である。
【図３】図１のＡ−Ａ断面図である。
【図４】本発明の一例を示すスライドバーの平面図である。
【図５】本発明の一例を示すバリカン刈刃の平面図である。
【符号の説明】
６        クランクロッド
９        スライドバー
１２      ボルト
１３      押え板
１５      取付座
１５ａ      〃  の刃
１６      バリカン刈刃
１７      基板
【図１】
0004082539.tif 000002
【図２】
0004082539.tif 000003
【図３】
0004082539.tif 000004
【図４】
0004082539.tif 000005
【図５】
0004082539.tif 000006